(57)【特許請求の範囲】
【請求項１】
キャディーバックに収納された複数本のゴルフクラブのクラブヘッドに被せられるゴルフクラブカバーであって、
前記クラブヘッドに被せられる収容空間が形成された袋状のカバー本体と、
前記カバー本体の開口部を閉じる紐とを備え、
前記カバー本体は、非伸縮性の素材で構成されるカバー部と、伸縮性の素材で構成される伸縮部を備え、
前記カバー部は、前記カバー本体の正面部分を構成する正面カバー部と、背面部分を構成する背面カバー部と、左右の両側面部分を構成する側面カバー部とを備え、
前記正面カバー部と前記背面カバー部は上辺でつながれると共に、前記正面カバー部及び前記背面カバー部と、左右の前記側面カバー部との間が、前記伸縮部でつながれ、
前記伸縮部が伸ばされることで、前記収容空間及び前記開口部が広げられる
ことを特徴とするゴルフクラブカバー。
【請求項２】
前記カバー本体は、前記伸縮部が縮んだ状態では、キャディーバックに収納された所定本数のゴルフクラブのクラブヘッドに被せ得る容積より前記収納空間が小さく構成される
ことを特徴とする請求項１に記載のゴルフクラブカバー。
【請求項３】
キャディーバックに収納された複数本のゴルフクラブのクラブヘッドに被せられるゴルフクラブカバーであって、
前記クラブヘッドに被せられる収容空間が形成された袋状のカバー本体と、
前記カバー本体の開口部を閉じる紐とを備え、
前記カバー本体は、非伸縮性の素材で構成されるカバー部と、伸縮性の素材で構成される伸縮部を備え、
前記カバー本体は、正面部分と背面部分が前記カバー部で構成されると共に、少なくとも左右の側面部分が前記伸縮部で構成され、前記伸縮部が縮んだ状態では、キャディーバックに収納された所定本数のゴルフクラブのクラブヘッドに被せ得る容積より前記収納空間が小さく構成され、前記伸縮部が伸ばされることで、前記収容空間及び前記開口部が広げられる
ことを特徴とするゴルフクラブカバー。
【請求項４】
前記カバー部は、前記カバー本体の正面部分を構成する正面カバー部と、背面部分を構成する背面カバー部とを備え、
前記正面カバー部と前記背面カバー部は、左右の側面が前記伸縮部でつながれる
ことを特徴とする請求項３に記載のゴルフクラブカバー。
【請求項５】
前記カバー本体は、前記カバー部の表地が非伸縮性の素材で構成され、裏地がクラブヘッドを保護する素材で構成される
ことを特徴とする請求項１〜請求項４の何れか１項に記載のゴルフクラブカバー。
【発明の詳細な説明】
【技術分野】
【０００１】
本発明は、キャディーバックに収納された複数本のゴルフクラブのクラブヘッドに被せられるゴルフクラブカバーに関する。
【背景技術】
【０００２】
従来、キャディーバックに収納されたゴルフクラブのクラブヘッドを保護するカバーとして、個々のクラブヘッドに被せられるウッドクラブ用のヘッドカバーが提案されているが、キャディーバックに収納されたアイアンクラブのクラブヘッドに被せられるカバーも提案されている（例えば、特許文献１参照）。
【０００３】
従来のアイアンクラブ用のゴルフクラブカバーは、クラブヘッドを保護するためボア生地等の素材で構成される。ボア生地には伸縮性が無いため、従来のゴルフクラブカバーは、フルセットのアイアンクラブのクラブヘッドに被せられる大きさを有した袋状に構成される。
【０００４】
また、従来、袋体の全体を編地により構成したアイアンクラブ用のゴルフクラブカバーも提案されているが、袋体の大きさは、フルセットのアイアンクラブのクラブヘッドに被せられる大きさに合わせられていた。
【先行技術文献】
【特許文献】
【０００５】
【特許文献１】特開平８−２９４５５４号公報
【発明の概要】
【発明が解決しようとする課題】
【０００６】
従来のアイアンクラブ用のゴルフクラブカバーは、フルセットのアイアンクラブのクラブヘッドに被せられる大きさに合わせられているため袋体が大きく、プレー中等の未使用時に、収納、運搬の妨げになっていた。
【０００７】
また、キャディーバックに収納されたアイアンクラブに被せられた状態でも袋体が大きいため、キャディーバックのカバーを更に被せることができない場合もあった。
【０００８】
本発明は、このような課題を解決するためなされたもので、小型であってもフルセットのアイアンクラブのクラブヘッドに被せることが可能なゴルフクラブカバーを提供することを目的とする。
【課題を解決するための手段】
【０００９】
上述した課題を解決するため、本発明は、キャディーバックに収納された複数本のゴルフクラブのクラブヘッドに被せられるゴルフクラブカバーであって、クラブヘッドに被せられる収容空間が形成された袋状のカバー本体と、カバー本体の開口部を閉じる紐とを備え、カバー本体は、非伸縮性の素材で構成されるカバー部と、伸縮性の素材で構成される伸縮部を備え、カバー部は、カバー本体の正面部分を構成する正面カバー部と、背面部分を構成する背面カバー部と、左右の両側面部分を構成する側面カバー部とを備え、正面カバー部と背面カバー部は上辺でつながれると共に、正面カバー部及び背面カバー部と、左右の側面カバー部との間が、伸縮部でつながれ、伸縮部が伸ばされることで、収容空間及び開口部が広げられるゴルフクラブカバーである。また、本発明は、キャディーバックに収納された複数本のゴルフクラブのクラブヘッドに被せられるゴルフクラブカバーであって、クラブヘッドに被せられる収容空間が形成された袋状のカバー本体と、カバー本体の開口部を閉じる紐とを備え、カバー本体は、非伸縮性の素材で構成されるカバー部と、伸縮性の素材で構成される伸縮部を備え、カバー本体は、正面部分と背面部分がカバー部で構成されると共に、少なくとも左右の側面部分が伸縮部で構成され、伸縮部が縮んだ状態では、キャディーバックに収納された所定本数のゴルフクラブのクラブヘッドに被せ得る容積より収納空間が小さく構成され、伸縮部が伸ばされることで、収容空間及び開口部が広げられるゴルフクラブカバーである。
【００１０】
本発明のゴルフクラブカバーでは、キャディーバックに入れられた複数本のゴルフクラブのクラブヘッドに被せるため、開口部を広げようとする力が加えられると、カバー本体において伸縮部の部分が伸びることで、開口部及び収容空間が任意の大きさに広げられる。
【００１１】
これにより、本発明では、ゴルフクラブカバーの大きさが、伸縮部が伸びていない状態では、所定本数のゴルフクラブのクラブヘッドに被せられる程度の容積で無くても、伸縮部を伸ばすことで、所定本数のゴルフクラブのクラブヘッドに被せられる。
【００１２】
キャディーバックに入れられた複数本のゴルフクラブのクラブヘッドに被せられたゴルフクラブカバーは、伸ばされた伸縮部が縮んで元に戻ることで、カバー本体の大きさが、収容空間に入れられたクラブヘッドの大きさに合わせて縮む。そして、紐を引っ張ることで、開口部の大きさが縮められる。
【発明の効果】
【００１３】
本発明のゴルフクラブカバーでは、伸縮部を伸ばすことによって、カバー本体の大きさを任意に変えられるので、カバー本体の大きさを小型化しても、キャディーバックに入れられた所望の本数、例えばフルセットのゴルフクラブのクラブヘッドに被せることができる。カバー本体を小型化できることで、プレー中等の未使用時に、収納、運搬の妨げになることはない。
【００１４】
また、キャディーバックに入れられた複数本のゴルフクラブのクラブヘッドに被せられたゴルフクラブカバーは、伸ばされた伸縮部が元に戻ることで、カバー本体の大きさが、収容空間に入れられたクラブヘッドの大きさに合わせて縮む。
【００１５】
これにより、クラブヘッドに被せられた状態としたゴルフクラブカバーの使用時であっても、カバー本体の大きさが小さく抑えられ、ゴルフクラブカバーの上から、更にキャディーバックのカバーを被せることができる。
【００１６】
更に、カバー本体が非伸縮性のカバー部と伸縮性の伸縮部の組み合わせで構成されるので、異なる素材の組み合わせによりデザインに変化を持たせることができる。また、非伸縮性の素材で構成される正面部分等には、ロゴ等を入れることができる。
【図面の簡単な説明】
【００１７】
【図１】第１の実施の形態のゴルフクラブカバーの一例を示す正面図である。
【図２】第１の実施の形態のゴルフクラブカバーの一例を示す側面図である。
【図３】第１の実施の形態のゴルフクラブカバーの一例を示す上面図である。
【図４】第１の実施の形態のゴルフクラブカバーの一例を示す底面図である。
【図５】第１の実施の形態のゴルフクラブカバーの一例を示す斜視図である。
【図６】第１の実施の形態のゴルフクラブカバーの使用例を示す正面図である。
【図７】第１の実施の形態のゴルフクラブカバーの使用例を示す側面図である。
【図８】第１の実施の形態のゴルフクラブカバーの使用例を示す底面図である。
【図９】第１の実施の形態のゴルフクラブカバーの使用形態の一例を示す説明図である。
【図１０】第１の実施の形態のゴルフクラブカバーの使用形態の一例を示す説明図である。
【図１１】第１の実施の形態のゴルフクラブカバーの使用形態の一例を示す説明図である。
【図１２】第２の実施の形態のゴルフクラブカバーの一例を示す正面図である。
【図１３】第２の実施の形態のゴルフクラブカバーの一例を示す側面図である。
【図１４】第２の実施の形態のゴルフクラブカバーの一例を示す上面図である。
【図１５】第２の実施の形態のゴルフクラブカバーの一例を示す底面図である。
【図１６】第２の実施の形態のゴルフクラブカバーの一例を示す斜視図である。
【図１７】第２の実施の形態のゴルフクラブカバーの使用例を示す正面図である。
【図１８】第２の実施の形態のゴルフクラブカバーの使用例を示す側面図である。
【図１９】第２の実施の形態のゴルフクラブカバーの使用例を示す底面図である。
【図２０】第２の実施の形態のゴルフクラブカバーの使用形態の一例を示す説明図である。
【図２１】第２の実施の形態のゴルフクラブカバーの使用形態の一例を示す説明図である。
【図２２】第２の実施の形態のゴルフクラブカバーの使用形態の一例を示す説明図である。
【図２３】本実施の形態のゴルフクラブカバーの変形例を示す斜視図である。
【発明を実施するための形態】
【００１８】
以下、図面を参照して、本発明のゴルフクラブカバーの実施の形態について説明する。
【００１９】
＜第１の実施の形態のゴルフクラブカバーの構成例＞
図１は、第１の実施の形態のゴルフクラブカバーの一例を示す正面図、図２は、第１の実施の形態のゴルフクラブカバーの一例を示す側面図、図３は、第１の実施の形態のゴルフクラブカバーの一例を示す上面図、図４は、第１の実施の形態のゴルフクラブカバーの一例を示す底面図、図５は、第１の実施の形態のゴルフクラブカバーの一例を示す斜視図である。
【００２０】
第１の実施の形態のゴルフクラブカバー１Ａは、袋状に構成されたカバー本体２Ａと、カバー本体２Ａの開口を閉じる紐３Ａを備える。
【００２１】
カバー本体２Ａは、正面部分を構成する正面カバー部２０Ｆと、背面部分を構成する背面カバー部２０Ｂと、左右の両側面部分を構成する側面カバー部２０Ｌ，２０Ｒを備える。また、カバー本体２Ａは、正面カバー部２０Ｆ及び背面カバー部２０Ｂと、左右の側面カバー部２０Ｌ，２０Ｒとの間をつなぐ伸縮部２１Ｌ，２１Ｒを備える。
【００２２】
正面カバー部２０Ｆ及び背面カバー部２０Ｂと、側面カバー部２０Ｌ，２０Ｒは、伸縮性を有しない、あるいは伸縮性の少ない非伸縮性の素材で構成され、本例では、表地が合成皮革あるいは人工皮革で構成され、裏地がボア生地２０Ｗで構成される。
【００２３】
正面カバー部２０Ｆと背面カバー部２０Ｂは、本例では上辺２０Ｕが縫合されて繋ぎ合わされ、上面が閉塞される。正面カバー部２０Ｆと背面カバー部２０Ｂの表地は、１枚の生地で構成しても良いし、複数枚の同素材の生地の組み合わせで構成しても良く、複数枚の異なる素材の生地の組み合わせで構成しても良い。
【００２４】
また、側面カバー部２０Ｌ，２０Ｒも同様に、表地は１枚の生地で構成しても良いし、複数枚の同素材の生地の組み合わせで構成しても良く、複数枚の異なる素材の生地の組み合わせで構成しても良い。
【００２５】
伸縮部２１Ｌ，２１Ｒは、上下左右方向に伸縮可能な素材で構成され、本例では、表地及び裏地ともリブ編地で構成される。伸縮部２１Ｌ，２１Ｒは、カバー本体２Ａの正面から背面へ回る帯状で、特に、左右方向である幅方向の伸縮性を大きくするため、畝及び畦と称される凹凸形状が、幅方向に並ぶ向きで構成される。伸縮部２１Ｌ，２１Ｒは、全体を同一の幅で構成しても良いし、本例のように、中央部分を細く、上下を太くしてデザイン性を持たせても良い。
【００２６】
カバー本体２Ａは、正面カバー部２０Ｆ及び背面カバー部２０Ｂの左右の一方の側部に、一方の伸縮部２１Ｌが本例では縫合により繋ぎ合わされ、一方の伸縮部２１Ｌに、左右の一方の側面カバー部２０Ｌが縫合により繋ぎ合わされる。また、カバー本体２Ａは、正面カバー部２０Ｆ及び背面カバー部２０Ｂの左右の他方の側部に、他方の伸縮部２１Ｒが縫合により繋ぎ合わされ、他方の伸縮部２１Ｒに、左右の他方の側面カバー部２０Ｒが縫合により繋ぎ合わされる。
【００２７】
これにより、カバー本体２Ａは、正面及び背面と左右の両側面、及び上面が閉塞され、下部には開口部２２が形成されて袋状に構成され、カバー本体２Ａの内側に収容空間２３が形成される。カバー本体２Ａの内側は、伸縮部２１Ｌ，２１Ｒを除きボア生地２０Ｗで構成される。
【００２８】
ゴルフクラブカバー１Ａは、カバー本体２Ａの開口部２２に、紐３Ａが通される紐通し部２２Ｔを備える。また、ゴルフクラブカバー１Ａは、左右の側面カバー部２０Ｌ，２０Ｒの下端に、紐通し部２２Ｔに通された紐３Ａが引き出される引き出し穴２２Ｈを備える。
【００２９】
紐通し部２２Ｔは、カバー本体２Ａの正面側においては、正面カバー部２０Ｆと、左右の伸縮部２１Ｌ，２１Ｒ及び側面カバー部２０Ｌ，２０Ｒとの間でつながる。また、紐通し部２２Ｔは、カバー本体２Ａの背面側においては、背面カバー部２０Ｂと、左右の伸縮部２１Ｌ，２１Ｒ及び側面カバー部２０Ｌ，２０Ｒとの間でつながる。
【００３０】
これにより、紐通し部２２Ｔは、カバー本体２Ａの下端で開口部２２の周縁に沿って環状につながる。
【００３１】
ゴルフクラブカバー１Ａは、環状にされた２本の紐３Ａが紐通し部２２Ｔに通され、一方の紐３Ａが、一方の側面カバー部２０Ｌの引き出し穴２２Ｈから引き出され、他方の紐３Ａが、他方の側面カバー部２０Ｒの引き出し穴２２Ｈから引き出される。
【００３２】
紐３Ａは、引き出し穴２２Ｈから引き出された部分に止め具３０が取り付けられる。止め具３０は、紐３Ａの任意の箇所で固定可能な構成で、紐通し部２２Ｔに通された紐３Ａの環状にされた部分の長さが調整可能である。
【００３３】
＜第１の実施の形態のゴルフクラブカバーの使用例＞
図６は、第１の実施の形態のゴルフクラブカバーの使用例を示す正面図、図７は、第１の実施の形態のゴルフクラブカバーの使用例を示す側面図、図８は、第１の実施の形態のゴルフクラブカバーの使用例を示す底面図である。
【００３４】
第１の実施の形態のゴルフクラブカバー１Ａは、左右の伸縮部２１Ｌ，２１Ｒを幅方向に沿った矢印Ａ方向に伸ばすことで、開口部２２及び収容空間２３の周縁の長さが、伸縮部２１Ｌ，２１Ｒの部分で伸びる。
【００３５】
これにより、カバー本体２Ａの左右方向においては、伸縮部２１Ｌ，２１Ｒの下端部分の長さが、図１に示す長さＬ１から図６に示す任意の長さＬ２に伸び、カバー本体２Ａの左右方向が広げられると共に、奥行き方向が図７に示すように広げられ、開口部２２及び収容空間２３の大きさが図８に示すように広げられる。特に、伸縮部２１Ｌ，２１Ｒの下方を幅広の形状とすることで、開口部２２側がより広げやすくなっている。
【００３６】
＜第１の実施の形態のゴルフクラブカバーの使用形態例＞
図９〜図１１は、第１の実施の形態のゴルフクラブカバーの使用形態の一例を示す説明図である。第１の実施の形態のゴルフクラブカバー１Ａは、図９に示すように、伸縮部２１Ｌ，２１Ｒが伸びていない状態では、カバー本体２Ａの容積は、キャディーバック５に入れられた複数本のアイアンクラブ５０のクラブヘッド５１に被せられる程度の大きさはない。
【００３７】
第１の実施の形態のゴルフクラブカバー１Ａは、キャディーバック５に入れられた複数本のアイアンクラブ５０のクラブヘッド５１に被せるため、矢印Ａ１で示すように開口部２２を広げようとする力が加えられると、図６〜図８で説明したように、カバー本体２Ａにおいて伸縮部２１Ｌ，２１Ｒの部分が伸びることで、図１０に示すように、開口部２２の周縁の長さ及び収容空間２３の容積が任意に広げられる。
【００３８】
これにより、ゴルフクラブカバー１Ａは、伸縮部２１Ｌ，２１Ｒが伸びていない状態では、複数本のアイアンクラブ５０のクラブヘッド５１に被せられる程度の容積が無い大きさであっても、伸縮部２１Ｌ，２１Ｒを伸ばすことで、複数本のアイアンクラブ５０のクラブヘッド５１に被せられる。
【００３９】
キャディーバック５に入れられた複数本のアイアンクラブ５０のクラブヘッド５１に被せられたゴルフクラブカバー１Ａは、伸ばされた伸縮部２１Ｌ，２１Ｒが元に戻ることで、カバー本体２Ａの大きさが、収容空間２３に入れられたクラブヘッド５１の大きさに合わせて縮む。そして、紐３Ａを引っ張ることで、図１１に示すように、開口部２２の大きさが縮められ、止め具３０により紐３Ａの長さを調整することで、開口部２２の大きさが縮められた形態で保持される。
【００４０】
＜第１の実施の形態のゴルフクラブカバーの効果例＞
第１の実施の形態のゴルフクラブカバー１Ａでは、正面カバー部２０Ｆ及び背面カバー部２０Ｂと、左右の側面カバー部２０Ｌ，２０Ｒが、それぞれ伸縮部２１Ｌ，２１Ｒで繋ぎ合わせられて、袋状のカバー本体２Ａが構成されるので、伸縮部２１Ｌ，２１Ｒを伸ばすことによって、カバー本体２Ａの大きさを任意に変えられる。
【００４１】
これにより、ゴルフクラブカバー１Ａは、カバー本体２Ａの大きさを小型化しても、キャディーバック５に入れられた所望の本数のアイアンクラブ５０のクラブヘッド５１に被せることができる。
【００４２】
第１の実施の形態のゴルフクラブカバー１Ａでは、伸縮部２１Ｌ，２１Ｒが伸びていない状態で、カバー本体２Ａの容積は、キャディーバック５に入れられた複数本のアイアンクラブ５０のクラブヘッド５１に被せられる程度の大きさはない。これにより、伸縮性を持たせていない従来のゴルフクラブカバーと比較して、未使用時の大きさは３／５〜４／５程度に小型化でき、ゴルフのプレー中等、ゴルフクラブカバー１Ａの未使用時には、ゴルフクラブカバー１Ａの収納の妨げになることはない。
【００４３】
また、キャディーバック５に入れられた複数本のアイアンクラブ５０のクラブヘッド５１に被せられたゴルフクラブカバー１Ａは、伸ばされた伸縮部２１Ｌ，２１Ｒが元に戻ることで、カバー本体２Ａの大きさが、収容空間２３に入れられたクラブヘッド５１の大きさに合わせて縮む。
【００４４】
これにより、アイアンクラブ５０のクラブヘッド５１に被せられた状態としたゴルフクラブカバー１Ａの使用時であっても、カバー本体２Ａの大きさが小さく抑えられ、ゴルフクラブカバー１Ａの上から、更にキャディーバック５の図示しないカバーを被せることもできる。
【００４５】
更に、ゴルフクラブカバー１Ａは、カバー本体２Ａが、正面カバー部２０Ｆ及び背面カバー部２０Ｂと、左右の側面カバー部２０Ｌ，２０Ｒと、伸縮部２１Ｌ，２１Ｒで構成されるので、デザインに変化を持たせることができる。また、正面カバー部２０Ｆ及び背面カバー部２０Ｂと、左右の側面カバー部２０Ｌ，２０Ｒには、ロゴ等を入れることができる。
【００４６】
＜第２の実施の形態のゴルフクラブカバーの構成例＞
図１２は、第２の実施の形態のゴルフクラブカバーの一例を示す正面図、図１３は、第２の実施の形態のゴルフクラブカバーの一例を示す側面図、図１４は、第２の実施の形態のゴルフクラブカバーの一例を示す上面図、図１５は、第２の実施の形態のゴルフクラブカバーの一例を示す底面図、図１６は、第２の実施の形態のゴルフクラブカバーの一例を示す斜視図である。
【００４７】
第２の実施の形態のゴルフクラブカバー１Ｂは、袋状に構成されたカバー本体２Ｂと、カバー本体２Ｂの開口を閉じる紐３Ｂを備える。
【００４８】
カバー本体２Ｂは、正面部分を構成する正面カバー部２４Ｆと、背面部分を構成する背面カバー部２４Ｂと、正面カバー部２４Ｆと背面カバー部２４Ｂとの間をつなぐ伸縮部２５を備える。
【００４９】
正面カバー部２４Ｆと背面カバー部２４Ｂは、伸縮性を有しない、あるいは伸縮性の少ない非伸縮性の素材で構成され、本例では、表地が合成皮革あるいは人工皮革で構成され、裏地がボア生地２４Ｗで構成される。正面カバー部２４Ｆと背面カバー部２４Ｂは、表地が１枚の生地で構成しても良いし、複数枚の同素材の生地の組み合わせで構成しても良く、複数枚の異なる素材の生地の組み合わせで構成しても良い。
【００５０】
伸縮部２５は、上下左右方向に伸縮可能な素材で構成され、本例では、表地及び裏地ともリブ編地で構成される。伸縮部２５は、カバー本体２Ｂの一方の側面から上面、上面から他方の側面へ回る帯状で、特に、幅方向の伸縮性を大きくするため、畝及び畦と称される凹凸形状が、幅方向に並ぶ向きで構成される。
【００５１】
カバー本体２Ｂは、正面カバー部２４Ｆ及び背面カバー部２４Ｂの左右の側片と上辺に、伸縮部２５が本例では縫合により繋ぎ合わされる。これにより、カバー本体２Ｂは、正面及び背面と左右の両側面、及び上面が閉塞され、下部には開口部２６が形成されて袋状に構成され、カバー本体２Ｂの内側に収容空間２７が形成される。カバー本体２Ｂの内側は、伸縮部２５を除きボア生地２４Ｗで構成される。
【００５２】
ゴルフクラブカバー１Ｂは、カバー本体２Ｂの開口した下端に、紐３Ｂが通される紐通し部２６Ｔを備える。また、ゴルフクラブカバー１Ｂは、伸縮部２５の左右の側面の下端に、紐通し部２６Ｔに通された紐３Ｂが引き出される引き出し穴２６Ｈを備える。
【００５３】
紐通し部２６Ｔは、正面カバー部２４Ｆと、背面カバー部２４Ｂと、伸縮部２５の左右の側面との間でつながり、カバー本体２Ｂの下端で開口部２６の周縁に沿って環状につながる。
【００５４】
ゴルフクラブカバー１Ｂは、環状にされた２本の紐３Ｂが紐通し部２６Ｔに通され、一方の紐３Ｂが、伸縮部２５の一方の側面の引き出し穴２６Ｈから引き出され、他方の紐３Ｂが、伸縮部２５の他方の側面の引き出し穴２６Ｈから引き出される。
【００５５】
紐３Ｂは、引き出し穴２６Ｈから引き出された部分に止め具３０が取り付けられる。止め具３０は、紐３Ｂの任意の箇所で固定可能な構成で、紐通し部２６Ｔに通された紐３Ｂの環状にされた部分の長さが調整可能である。
【００５６】
＜第２の実施の形態のゴルフクラブカバーの使用例＞
図１７は、第２の実施の形態のゴルフクラブカバーの使用例を示す正面図、図１８は、第２の実施の形態のゴルフクラブカバーの使用例を示す側面図、図１９は、第２の実施の形態のゴルフクラブカバーの使用例を示す底面図である。
【００５７】
第２の実施の形態のゴルフクラブカバー１Ｂは、伸縮部２５を幅方向に沿った矢印Ｂ方向に伸ばすことで、開口部２６及び収容空間２７の周縁の長さが、伸縮部２５の部分で伸びる。また、カバー本体２Ｂの上面も、伸縮部２５の部分で伸びる。これにより、カバー本体２Ｂの左右方向が図１７に示すように広げられると共に、奥行き方向が図１８に示すように広げられ、開口部２６及び収容空間２７の大きさが図１９に示すように広げられる。
【００５８】
＜第２の実施の形態のゴルフクラブカバーの使用形態例＞
図２０〜図２２は、第２の実施の形態のゴルフクラブカバーの使用形態の一例を示す説明図である。第２の実施の形態のゴルフクラブカバー１Ｂは、図２０に示すように、伸縮部２５が伸びていない状態では、カバー本体２Ｂの容積は、キャディーバック５に入れられた複数本のアイアンクラブ５０のクラブヘッド５１に被せられる程度の大きさはない。
【００５９】
第２の実施の形態のゴルフクラブカバー１Ｂは、キャディーバック５に入れられた複数本のアイアンクラブ５０のクラブヘッド５１に被せるため、矢印Ｂ１で示すように開口部２６を広げようとする力が加えられると、図１７〜図１９で説明したように、カバー本体２Ｂにおいて伸縮部２５の部分が伸びることで、図２１に示すように、開口部２６の周縁の長さ及び収容空間２７の容積が任意に広げられる。
【００６０】
これにより、ゴルフクラブカバー１Ｂは、伸縮部２５が伸びていない状態では、複数本のアイアンクラブ５０のクラブヘッド５１に被せられる程度の容積が無い大きさであっても、伸縮部２５を伸ばすことで、複数本のアイアンクラブ５０のクラブヘッド５１に被せられる。
【００６１】
キャディーバック５に入れられた複数本のアイアンクラブ５０のクラブヘッド５１に被せられたゴルフクラブカバー１Ｂは、伸ばされた伸縮部２５が元に戻ることで、カバー本体２Ｂの大きさが、収容空間２７に入れられたクラブヘッド５１の大きさに合わせて縮む。そして、紐３Ｂを引っ張ることで、図２２に示すように、開口部２６の大きさが縮められ、止め具３０により紐３Ｂの長さを調整することで、開口部２６の大きさが縮められた形態で保持される。
【００６２】
＜第２の実施の形態のゴルフクラブカバーの効果例＞
第２の実施の形態のゴルフクラブカバー１Ｂでは、正面カバー部２４Ｆと背面カバー部２４Ｂが伸縮部２５で繋ぎ合わせられて、袋状のカバー本体２Ｂが構成されるので、伸縮部２５を伸ばすことによって、カバー本体２Ｂの大きさを任意に変えられる。
【００６３】
これにより、ゴルフクラブカバー１Ｂは、カバー本体２Ｂの大きさを小型化しても、キャディーバック５に入れられた所望の本数のアイアンクラブ５０のクラブヘッド５１に被せることができる。
【００６４】
第２の実施の形態のゴルフクラブカバー１Ｂでも、伸縮部２５が伸びていない状態で、カバー本体２Ｂの容積は、キャディーバック５に入れられた複数本のアイアンクラブ５０のクラブヘッド５１に被せられる程度の大きさはない。これにより、伸縮性を持たせていない従来のゴルフクラブカバーと比較して、未使用時の大きさは３／５〜４／５程度に小型化でき、ゴルフのプレー中等、ゴルフクラブカバー１Ｂの未使用時には、ゴルフクラブカバー１Ｂの収納の妨げになることはない。
【００６５】
また、キャディーバック５に入れられた複数本のアイアンクラブ５０のクラブヘッド５１に被せられたゴルフクラブカバー１Ｂは、伸ばされた伸縮部２５が元に戻ることで、カバー本体２Ｂの大きさが、収容空間２７に入れられたクラブヘッド５１の大きさに合わせて縮む。
【００６６】
これにより、アイアンクラブ５０のクラブヘッド５１に被せられた状態としたゴルフクラブカバー１Ｂの使用時であっても、カバー本体２Ｂの大きさが小さく抑えられ、ゴルフクラブカバー１Ｂの上から、更にキャディーバック５の図示しないカバーを被せることもできる。
【００６７】
更に、ゴルフクラブカバー１Ｂは、カバー本体２Ｂが、正面カバー部２４Ｆ及び背面カバー部２４Ｂと、伸縮部２５で構成されるので、デザインに変化を持たせることができる。また、正面カバー部２４Ｆと背面カバー部２４Ｂには、ロゴ等を入れることができる。
【００６８】
＜本実施の形態のゴルフクラブカバーの変形例＞
図２３は、本実施の形態のゴルフクラブカバーの変形例を示す斜視図である。変形例のゴルフクラブカバー１Ｃは、袋状に構成されたカバー本体２Ｃと、カバー本体２Ｃの開口を閉じる紐３Ｃを備える。
【００６９】
カバー本体２Ｃは、正面部分を構成する正面カバー部２８Ｆと、背面部分を構成する背面カバー部２８Ｂと、側面部分を構成する伸縮部２９を備える。
【００７０】
正面カバー部２８Ｆと背面カバー部２８Ｂは、伸縮性を有しない、あるいは伸縮性の少ない非伸縮性の素材で構成され、本例では、表地が合成皮革あるいは人工皮革で構成され、裏地がボア生地で構成される。正面カバー部２８Ｆと背面カバー部２８Ｂは、表地が１枚の生地で構成しても良いし、複数枚の同素材の生地の組み合わせで構成しても良く、複数枚の異なる素材の生地の組み合わせで構成しても良い。
【００７１】
伸縮部２９は、上下左右方向に伸縮可能な素材で構成され、本例では、表地及び裏地ともリブ編地で構成される。伸縮部２９は、特に、幅方向の伸縮性を大きくするため、畝及び畦と称される凹凸形状が、幅方向に並ぶ向きで構成される。
【００７２】
カバー本体２Ｃは、正面カバー部２８Ｆ及び背面カバー部２８Ｂの左右の側片に、伸縮部２９が本例では縫合により繋ぎ合わされる。これにより、カバー本体２Ｃは、正面及び背面と左右の両側面、及び上面が閉塞され、下部には開口部が形成されて袋状に構成され、カバー本体２Ｃの内側に収容空間が形成される。カバー本体２Ｃの内側は、伸縮部２９を除きボア生地で構成される。
【００７３】
ゴルフクラブカバー１Ｃは、カバー本体２Ｃの開口した下端に、紐３Ｃが通される紐通し部２８Ｔを備える。また、ゴルフクラブカバー１Ｃは、伸縮部２９の左右の側面の下端に、紐通し部２８Ｔに通された紐３Ｃが引き出される引き出し穴２８Ｈを備える。
【００７４】
紐通し部２８Ｔは、正面カバー部２８Ｆと、背面カバー部２８Ｂと、伸縮部２９の左右の側面との間でつながり、カバー本体２Ｃの下端で開口部の周縁に沿って環状につながる。
【００７５】
ゴルフクラブカバー１Ｃは、環状にされた２本の紐３Ｃが紐通し部２８Ｔに通され、一方の紐３Ｃが、伸縮部２９の一方の側面の引き出し穴２８Ｈから引き出され、他方の紐３Ｃが、伸縮部２９の他方の側面の引き出し穴２８Ｈから引き出される。
【００７６】
紐３Ｃは、引き出し穴２８Ｈから引き出された部分に止め具３０が取り付けられる。止め具３０は、紐３Ｃの任意の箇所で固定可能な構成で、紐通し部２８Ｔに通された紐３Ｃの環状にされた部分の長さが調整可能である。
【００７７】
変形例のゴルフクラブカバー１Ｃでも、伸縮部２９を伸ばすことで、カバー本体２Ｃの左右方向及び奥行き方向が広げられ、開口部及び収容空間の大きさが広げられる。
【産業上の利用可能性】
【００７８】
本発明は、キャディーバックに収納されたフルセットのアイアンクラブのクラブヘッドに被せられるゴルフクラブカバーに適用される。
【符号の説明】
【００７９】
１Ａ，１Ｂ，１Ｃ・・・ゴルフクラブカバー、２Ａ，２Ｂ，２Ｃ・・・カバー本体、２０Ｆ・・・正面カバー部、２０Ｂ・・・背面カバー部、２０Ｌ，２０Ｒ・・・側面カバー部、２０Ｕ・・・上辺、２０Ｗ・・・ボア生地、２１Ｌ，２１Ｒ・・・伸縮部、２２・・・開口部、２２Ｔ・・・紐通し部、２２Ｈ・・・引き出し穴、２３・・・収容空間、２４Ｆ・・・正面カバー部、２４Ｂ・・・背面カバー部、２４Ｗ・・・ボア生地、２５・・・伸縮部、２６・・・開口部、２６Ｔ・・・紐通し部、２６Ｈ・・・引き出し穴、２７・・・収容空間、２８Ｆ・・・正面カバー部、２８Ｂ・・・背面カバー部、２９・・・伸縮部、３Ａ，３Ｂ，３Ｃ・・・紐、３０・・・止め具
【図１】
0005976303.tif 000002
【図２】
0005976303.tif 000003
【図３】
0005976303.tif 000004
【図４】
0005976303.tif 000005
【図５】
0005976303.tif 000006
【図６】
0005976303.tif 000007
【図７】
0005976303.tif 000008
【図８】
0005976303.tif 000009
【図９】
0005976303.tif 000010
【図１０】
0005976303.tif 000011
【図１１】
0005976303.tif 000012
【図１２】
0005976303.tif 000013
【図１３】
0005976303.tif 000014
【図１４】
0005976303.tif 000015
【図１５】
0005976303.tif 000016
【図１６】
0005976303.tif 000017
【図１７】
0005976303.tif 000018
【図１８】
0005976303.tif 000019
【図１９】
0005976303.tif 000020
【図２０】
0005976303.tif 000021
【図２１】
0005976303.tif 000022
【図２２】
0005976303.tif 000023
【図２３】
0005976303.tif 000024